(57)【要約】      （修正有）【課題】ブラインドホール等前方確認が困難な場所への打込による危険軽減を図るため、太陽光発電装置、動画映像無線伝送装置を利用した無線動画映像監視確認システムを提供する。【解決手段】動画映像無線伝送装置、太陽光発電装置２を用い、通信線・電力線の布設工事が不要であり、各柱１には消費電力を少なくするため、光センサー１３を用い周囲の明るさが一定以上になると蓄電池１０を接続し電源供給を行い撮影、動画像送受信を開始し、一定以下になると蓄電池から電源を切断しシステムを停止させる。また、モニターの消費電力を少なくするため人感センサーを用い、人の動きを感知している間はモニターへ蓄電池を接続し電源供給を行うことで動画映像を表示し、立ち去ると一定時間経過後に蓄電池から電源を切断するシステム。【選択図】図１
0003204740.tif 000002
【実用新案登録請求の範囲】
【請求項１】
ブラインドエリアの動画映像が撮影可能な場所へ設置された監視カメラと前記監視カメラの映像信号を無線送信する送信局および電源を備えた柱と、前記無線信号を受信しモニターへ表示する受信局と電源を備えた柱により構成された無線動画映像監視確認システム。
【請求項２】
前記電源が太陽光発電装置若しくは蓄電池により電力供給することを特徴とする請求項１記載の無線動画映像監視確認システム。
【請求項３】
電源供給回路を接続、切断することを可能とする光センサーを具備することを特徴とする請求項１記載の無線動画映像監視確認システム。
【請求項４】
前記受信モニターへの電源供給回路の接続、切断することを可能とする人感センサーを具備することを特徴とする請求項１記載の無線動画映像監視確認システム。
【考案の詳細な説明】
【技術分野】
【０００１】送信局、受信局を任意の場所へ設置し、太陽光発電装置若しくは蓄電池を装備し、周囲の明るさや人の動きを感知するセンサーによりシステムへの電源供給、切断を行い、カメラ動画映像を無線伝送により表示する無線動画映像監視確認システムに関するものである。
【背景技術】
【０００２】従来のシステムは、商用電源が必要であり、カメラで撮影した動画映像を有線によりモニターへ表示するものであり、電力及び通信線の布設に多額の費用、長い施工期間が掛かる。
【先行技術文献】
【特許文献】
【０００３】
【特許文献１】登録実用新案公報  第３０８８７２０号
【非特許文献】
【０００４】
【非特許文献１】ｈｔｔｐ：／／ｓｕｐｏｒｕｔｏ．ｃｏｍ／ｐｒｏｄｕｃｔ＿ｃｏｕｒｓｅ．ｈｔｍｌ＃ｍｏｎｉｔｏｒ＿ｃａｍｅｒａ
【考案の概要】
【考案が解決しようとする課題】
【０００５】特許文献１は自然エネルギー、通信衛星を利用しているため電力線、通信線は不要であるが通信衛星利用料が掛かる。非特許文献１は、電力線および通信線の布設が必要であり、多額の布設費用、長い施工期間が掛かる。
【課題を解決するための手段】
【０００６】この考案は、前述した課題を克服するため請求項１は、ブラインドエリアの動画映像が撮影可能な場所へ設置された監視カメラと前記監視カメラの映像信号を無線送信する送信局および電源を備えた柱と、前記無線信号を受信しモニターへ表示する受信局と電源を備えた柱により構成された無線動画映像監視確認システムである。【０００７】請求項２は、前記電源が太陽光発電装置若しくは蓄電池により電力供給することを特徴とする。請求項３は、電源供給回路を接続、切断することを可能とする光センサーを具備することを特徴とする。請求項４は、前記受信モニターへの電源供給回路の接続、切断することを可能とする人感センサーを具備することを特徴とする。【０００８】前記手段を備えることにより、
▲１▼監視カメラ動画映像をモニターへ無線伝送し表示させ通信線を不要にする。
▲２▼太陽光発電装置により電力を供給し電力線を不要にする。
▲３▼蓄電池により電力を供給し電力線を不要にする。
▲４▼光センサーにて周囲の明るさにより、蓄電池からシステム電源供給回路の接続、切断をする。
▲５▼人感センサーにて人の動きを検知するとモニターへ電源供給回路の接続、人が立ち去ると一定時間経過後確認用モニターへの電源供給の切断をする。
【考案の効果】
【０００９】▲１▼商用電源の節約が可能である。
▲２▼商用電源、通信線が布設出来ない場所でも設置が可能である。
▲３▼各センサー動作により蓄電池の消費電力量低減を図り、日照不足時のシステム稼働日数の長期化が可能である。
▲４▼安定化電源によりシステム供給電圧を一定に保つことで、電圧変動による機器への負担低減が可能である。
▲５▼短期間での施工が可能である。
【図面の簡単な説明】
【００１０】
【図１】送信局の装柱外観図
【図２】送信局のブロック図
【図３】受信局の装柱外観図
【図４】受信局のブロック図
【考案を実施するための形態】
【００１１】以下、本考案の実施の形態を図面に基づいて説明する。本実施の形態を図１、図２、図３、図４に基づいて説明する。なお、本考案にかかる無線動画映像監視確認システムの具体的な構成は、下記の実施形態に限られるものでなく、考案の要旨を逸脱しない範囲で変更可能である。
【００１２】図１は、柱（１）、太陽光発電装置（２）、カメラハウジング（４）、指向性空中線（３）、送信電源部収容箱（５）で構成された、本実施の形態で用いる送信局（１００）である。柱（１）は、単独柱でもよいが、既設柱を使用されてもよい。太陽光発電装置（２）は、太陽光で発電する装置であり、太陽光がソーラー電池を照射することで電力が得られる。カメラハウジング（４）は、図２に示すとおり、監視カメラ（７）と無線伝送送信部（８）を装備し、撮影された動画像の無線化を行う。指向性空中線（３）は、カメラハウジング（４）に装備された無線伝送送信部（８）にて無線化された動画映像信号を受信局（２００）へ送信する空中線である。送信局（１００）設置の機器収容箱（５）は、図２に示すとおり、太陽光発電装置（２）から得られる電力の出力電圧を制御する充電制御部（９）と電力の充放電を行う蓄電池（１０）と監視カメラ（７）と無線伝送送信部（８）への出力電圧安定化を図る安定化電源部（１１）と監視カメラ（７）と無線伝送送信部（８）への電源供給を制御する光センサー制御部（１２）と光センサー（１３）を装備している。
【００１３】図３は、柱（１）、太陽光発電装置（２）、指向性空中線（３）、モニター収容箱（６）、受信電源部収容箱（５）で構成された、本実施の形態で用いる受信局（２００）である。指向性空中線（３）は、送信局（１００）からの無線化された動画映像信号を受信する空中線である。モニター収容箱（６）は、図４に示すとおり、無線伝送受信部（１４）とモニター（１５）を装備し、受信した動画映像をモニターへ表示する。受信局設置（２００）の機器収容箱（５）は、前述送信局（１００）設置の機器収容箱に装備された機器に加え、図４に示すとおり、モニターへの電源を制御する人感センサー（１７）と人感センサー制御部（１６）を装備している。
【００１４】以上のように送信部（１００）と受信部（２００）により構成された、無線動画映像監視確認システムの動作について説明する。
太陽光発電装置（２）により発電した電力は、機器収容箱（５）に装備された充電制御部（９）により過充電を防止し蓄電池（１０）へ充電される。光センサー（１３）により、周囲の照度が一定以上の場合は光センサー制御部（１２）にて電源回路を接続しカメラハウジング（４）、モニター収容箱（６）装備の機器へ電源供給を行い、周囲の照度が一定以下の場合は光センサー制御部（１２）にて電源回路を切断し蓄電池（１０）の消費電力を少なくする。また、モニター（１５）の消費電力が多いため、受信局設置（２００）の機器収容箱（５）に装備した人感センサー（１６）により、人の動きを感知すると人感センサー制御部（１５）にて電源回路を接続し電源供給を行い、立ち去ると一定時間経過後電源回路を切断し蓄電池（１０）の消費電力を少なくする。
【００１５】送信部（１００）のカメラハウジング（４）へ装備された監視カメラ（７）は、周囲状況を撮影し動画映像信号を無線伝送送信部（８）へ出力し、無線伝送送信部（８）にて動画映像信号を無線化し、指向性空中線（３）から受信部（２００）へ動画映像信号を送信する。
【００１６】受信部（２００）の指向性空中線（３）、モニター収容箱（６）へ装備された無線伝送受信部（１４）にて、送信部（１００）より送信された動画映像信号を受信し、モニター（１５）へ出力し動画映像を表示する。
【００１７】以上、本実施の形態の無線動画映像監視確認システムによれば、太陽光発電装置（２）の電力、無線伝送送信部（８）、指向性空中線（３）、無線伝送受信部（１４）を用いた動画映像の無線化により電力線、通信線の布設が不要で動画映像の監視確認が行えるシステムを提供することができる。
【符号の説明】
【００１８】１  柱
２  太陽光発電装置
３  指向性空中線
４  カメラハウジング
５  機器収容箱
６  モニター収容箱
７  監視カメラ
８  無線伝送送信部
９  充電制御部
１０  蓄電池
１１  安定化電源
１２  光センサー制御部
１３  光センサー
１４  無線伝送受信部
１５  モニター
１６  人感センサー制御部
１７  人感センサー
１００  送信局
２００  受信局
【図１】
0003204740.tif 000003
【図２】
0003204740.tif 000004
【図３】
0003204740.tif 000005
【図４】
0003204740.tif 000006